(57)【特許請求の範囲】
【請求項１】
投影画像を重ねて表示する複数の映像投影装置を構成する各映像投影装置に映像信号を供給する信号変換装置であって、
入力映像信号に対して変換を行い、該変換後の映像信号を前記各映像投影装置に供給する信号変換処理部と、
前記入力映像信号を変換するときに用いる情報が記憶された変換テーブル記憶部とを含み、
前記変換テーブル記憶部には、前記情報として、前記入力映像信号により規定される入力信号値に対して前記複数の映像投影装置に出力すべき出力信号値が離散的に登録された変換テーブルと、前記入力信号値に対応して前記複数の映像投影装置のうちどの映像投影装置の出力信号値を補間すべきかを指定するフラグとが記憶され、
前記信号変換処理部が、
前記変換テーブル記憶部に記憶された前記変換テーブルと前記フラグとに基づいて、前記離散的に登録された値を用いて前記補間すべきと指定された映像投影装置の出力信号値を、前記入力信号値である離散的な値の間の入力信号値に対して対応する前記出力信号値を用いて補間して、前記入力映像信号を前記各映像投影装置に対応した映像信号に変換することを特徴とする信号変換装置。
【請求項２】
請求項１において、
前記複数の映像投影装置のうち少なくとも１つの映像投影装置の光変調素子の入力信号の値における画素毎の透過率の並びとなる光変調特性を表す特性情報を取得する特性情報取得部を含み、
前記信号変換処理部は、前記特性情報取得部により取得された特性情報に基づいて、前記変換を行うことを特徴とする信号変換装置。
【請求項３】
請求項１または２において、
前記入力映像信号で表現可能な階調数が、前記各映像投影装置に供給される映像信号で表現可能な階調数よりも多いことを特徴とする信号変換装置。
【請求項４】
請求項１乃至３のいずれか記載の信号変換装置と、
前記信号変換装置からの映像信号に基づいて映像を投射する投射部とを含むことを特徴とする映像投影装置。
【請求項５】
請求項４において、
スクリーンに投影された他の映像投影装置の投影画像の輝度を検出する輝度検出部を含み、
前記輝度検出部により検出された輝度に基づいて前記入力映像信号を変換した映像信号を前記他の映像投影装置に供給することを特徴とする映像投影装置。
【請求項６】
請求項１乃至３のいずれか記載の信号変換装置と、
前記信号変換装置からの映像信号に基づいて画像を投影する複数の映像投影装置とを含み、
前記複数の映像投影装置を構成する各映像投影装置による投影画像を重ねて表示することを特徴とする映像投影システム。
【発明の詳細な説明】
【技術分野】
【０００１】
本発明は、信号変換装置、映像投影装置及び映像投影システムに関する。
【背景技術】
【０００２】
近年、映像信号のデジタル化が進み、ＨＤＶ（High-Definition Video）、ＨＤＭＩ（High-Definition Multimedia Interface）、映像デジタル信号の記録に関する規格等の種々の規格が策定さている。これらの規格は、現在の映像出力機器及び撮像機器の高性能化や将来の性能向上を見越して、これまで以上の色再現域や広いダイナミックレンジ、多くの階調が表現可能な規格となっている。
【０００３】
このような規格に準拠した映像出力機器として、プラズマディスプレイや液晶表示装置のように、アナログ信号で階調表現するものや、ＰＷＭ（Pulse Width Modulation）制御で階調表現するものがある。アナログ信号で階調表現する場合には、理論上は無限の階調を実現できる可能性があるものの、現実的には多階調を正確に再現することは困難である。また、ＰＷＭ制御で階調表現する場合には、ミラー等の物理的な可動機構の可動速度が限界に達して高い分解能が得ることが困難となり、また、高速に画素をオンオフ制御するための画素密度を上げることが困難な状況となっている。
【０００４】
これに対して、映像投影装置としてのプロジェクタは、直視型ディスプレイとは異なり、スクリーン上で複数の投影映像を簡単に重ねて表示できる。そこで、この特性を利用して、同一の映像を複数のプロジェクタでスクリーン上に重ねて表示することで輝度の向上を図ることが行われる。例えば特許文献１には、２つのプロジェクタの投影映像を重ねることで、階調数を増やす技術が開示されている。
【０００５】
【特許文献１】特開２００３−１２５３１７号公報
【発明の開示】
【発明が解決しようとする課題】
【０００６】
しかしながら、特許文献１に開示された技術では、２つのプロジェクタが１階調ごとに投射する光の光量が略同等となるように映像を投影したり、一方のプロジェクタが１階調ごとに投射する光の光量に対して他方のプロジェクタが１階調ごとに投射する光の光量が略整数倍となるように映像を投影したりする。そのため、プロジェクタが有する光変調素子の非線形性や映像を見る人の眼の特性の非線形性を考慮すると、特許文献１に開示されているように投影しても、多階調化の効果が低いと考えられる。
【０００７】
本発明は、以上のような技術的課題に鑑みてなされたものであり、その目的の１つは、複数の映像投影装置の特性に応じて、多階調化を実現する信号変換装置、映像投影装置及び映像投影システムを提供することにある。
【課題を解決するための手段】
【０００８】
上記課題を解決するために本発明は、投影画像を重ねて表示する複数の映像投影装置を構成する各映像投影装置に映像信号を供給する信号変換装置であって、前記複数の映像投影装置のうち少なくとも１つの映像投影装置の光変調素子の特性情報を取得する特性情報取得部と、前記特性情報取得部により取得された特性情報に基づいて、前記各映像投影装置に対応した信号変換処理を入力映像信号に対して行い、該信号変換処理後の映像信号を前記各映像投影装置に供給する信号変換処理部とを含む信号変換装置に関係する。
【０００９】
本発明によれば、複数の映像投影装置の投影画像を重ねて表示する場合に、映像投影装置が有する光変調素子の特性情報を取得し、この特性情報に基づいて、各映像投影装置に対応した信号変換処理を入力映像信号に対して行い、該信号変換処理後の映像信号を前記各映像投影装置に供給するようにしたので、複数の映像投影装置の特性に応じて、多階調化を実現できるようになる。
【００１０】
また本発明に係る信号変換装置では、前記入力映像信号に対応して前記複数の映像投影装置を構成する各映像投影装置に供給する映像信号に変換するときに用いる情報が登録された変換テーブル記憶部を含み、前記信号変換処理部が、前記変換テーブル記憶部に記憶された前記情報に基づいて、前記入力映像信号を前記各映像投影装置に対応した映像信号に変換することができる。
【００１１】
本発明によれば、変換テーブル記憶部に、入力映像信号に対応して予め複数の映像投影装置を構成する各映像投影装置に供給する映像信号に変換するための情報を登録し、この変換テーブル記憶部の記憶情報に基づいて入力映像信号を各映像投影装置に対応した映像信号に変換するようにしたので、簡素な構成で、多階調化を実現できるようになる。
【００１２】
また本発明に係る信号変換装置では、前記複数の映像投影装置により前記入力映像信号に対応する出力目標輝度を有する画像を表示する場合に、前記信号変換処理部は、前記複数の映像投影装置のいずれか１つの第１の映像投影装置に対し、前記出力目標輝度以下で最大輝度となる第１の映像信号を供給すると共に、前記複数の映像投影装置のうち前記第１の映像投影装置を除く残りの各映像投影装置に対し、前記残りの各映像投影装置により前記出力目標輝度と前記最大輝度との差分の輝度を有する画像を表示するように映像信号を供給することができる。
【００１３】
また本発明に係る信号変換装置では、前記信号変換処理部は、前記第１の映像投影装置の光変調素子の特性に基づいて、前記入力映像信号を前記第１の映像信号に変換し、前記残りの各映像投影装置の光変調素子の特性に基づいて、前記入力映像信号を前記残りの各映像投影装置に対応した映像信号に変換することができる。
【００１４】
上記のいずれかの発明によれば、変換テーブルを用意する必要がなくなる。また、本発明によれば、映像投影システムを構成する映像投影装置の数が増加すればするほど複雑化する変換テーブルに対する検索処理が不要となるので、各映像投影装置への信号の割り当てを簡素化して、多階調な映像を高精度に制御できるようになる。
【００１５】
また本発明に係る信号変換装置では、前記入力映像信号で表現可能な階調数が、前記各映像投影装置に供給される映像信号で表現可能な階調数よりも多くてもよい。
【００１６】
本発明によれば、上記の効果に加えて、入力映像信号の階調数が多い場合であっても、階調数が少ない安価なプロジェクタを用いることができ、低コストで多階調な映像を高精度に制御できるようになる。
【００１７】
また本発明は、上記のいずれか記載の信号変換装置と、前記信号変換装置からの映像信号に基づいて映像を投射する投射部とを含む映像投影装置に関係する。
【００１８】
本発明によれば、複数の映像投影装置の投影画像を重ねて表示する場合に、これらの映像投影装置の特性に応じて、多階調化を実現できるようになる。
【００１９】
また本発明に係る映像投影装置では、スクリーンに投影された他の映像投影装置の投影画像の輝度を検出する輝度検出部を含み、前記輝度検出部により検出された輝度に基づいて前記入力映像信号を変換した映像信号を前記他の映像投影装置に供給することができる。
【００２０】
本発明によれば、他の映像投影装置が、その特性情報を送信する機能を持たない場合であっても、複数の映像投影装置の特性に応じて、多階調化を実現できるようになる。
【００２１】
また本発明は、上記のいずれか記載の信号変換装置と、前記信号変換装置からの映像信号に基づいて画像を投影する複数の映像投影装置とを含み、前記複数の映像投影装置を構成する各映像投影装置による投影画像を重ねて表示する映像投影システムに関係する。
【００２２】
本発明によれば、複数の映像投影装置の特性に応じて、多階調化を実現する映像投影システムを提供できるようになる。
【発明を実施するための最良の形態】
【００２３】
以下、本発明の実施の形態について図面を用いて詳細に説明する。なお、以下に説明する実施の形態は、特許請求の範囲に記載された本発明の内容を不当に限定するものではない。また以下で説明される構成のすべてが本発明の必須構成要件であるとは限らない。
【００２４】
また、以下では、説明の簡素化のために、本発明に係る映像投影システムが２つの映像投影装置を含むものとして説明するが、本発明はこれに限定されるものではなく、本発明に係る映像投影システムが３つの映像投影装置を含んでもよい。
【００２５】
〔実施形態１〕
図１に、本発明に係る実施形態１における映像投影システムの構成例のブロック図を示す。
【００２６】
実施形態１における映像投影システム１０は、第１及び第２のプロジェクタＰＪ１、ＰＪ２、信号変換装置５０を含む。更に映像投影システム１０は、スクリーンＳＣＲ及び映像信号生成装置８０の少なくとも１つを含んでもよい。第１及び第２のプロジェクタＰＪ１、ＰＪ２は、信号変換装置５０からの映像信号に対応した画像を重ねて表示するようにスクリーンＳＣＲに投影する。より具体的には、第１及び第２のプロジェクタＰＪ１、ＰＪ２の各プロジェクタは、光変調部と投射部とを含み、光変調部において光源からの光を映像信号に基づいて変調し、変調後の光を投射部によりスクリーンＳＣＲに投射する。
【００２７】
映像信号生成装置８０は、スクリーンＳＣＲに投影するコンテンツ画像を生成し、該コンテンツ画像に対応した映像信号を生成する。映像信号生成装置８０によって生成された映像信号は、入力映像信号として信号変換装置５０に入力される。
【００２８】
信号変換装置５０は、映像投影システム１０としての階調特性（光変調特性）に基づいて、（例えば映像信号生成装置８０からの入力映像信号の信号値に対応する出力目標輝度を得るように）該入力映像信号を変換した映像信号を第１及び第２のプロジェクタＰＪ１、ＰＪ２に出力する。このような信号変換装置５０は、映像信号生成装置８０からの入力映像信号を第１のプロジェクタＰＪ１向けに変換した映像信号を第１のプロジェクタＰＪ１に出力すると共に、該入力映像信号を第２のプロジェクタＰＪ２向けに変換した映像信号を第２のプロジェクタＰＪ２に出力する。
【００２９】
そして、第１及び第２のプロジェクタＰＪ１、ＰＪ２は、それぞれ、各投影画像内の画素の位置が一致するように投影画像をスクリーンＳＣＲに投射する。これにより、映像投影システム１０は、第１及び第２のプロジェクタＰＪ１、ＰＪ２により入力映像信号に対応する出力目標輝度を有する画像を表示する。
【００３０】
図２に、図１の第１のプロジェクタＰＪ１の構成例のブロック図を示す。なお、第１のプロジェクタＰＪ１は、図２の構成をすべて含むものでなくてもよい。図２では、第１のプロジェクタＰＪ１の構成例を示すが、第２のプロジェクタＰＪ２も第１のプロジェクタＰＪ１と同様の構成を有することができる。
【００３１】
第１のプロジェクタＰＪ１は、光変調部及び投射部としての機能を実現する光学系ブロック１００と、光学系ブロック１００を制御するための制御ブロック１８０とを含む。
【００３２】
光学系ブロック１００は、光源１１０、光変調素子１３０（光変調部）を含み、光源１１０により発生した光が光変調素子１３０に照射され、制御ブロック１８０からの制御信号に基づいて光変調素子１３０が光変調率を変更することで投射画像を生成することができる。
【００３３】
制御ブロック１８０は、映像信号受信部１８２、信号解析部１８４、出力信号変換部１８６、出力信号処理部１８８、光変調素子駆動部１９０、制御部１９２、特性情報記憶部１９４、光源駆動部１９６、特性情報送信部１９８を含む。
【００３４】
映像信号受信部１８２は、信号変換装置５０からの映像信号の受信インタフェース処理を行う。信号解析部１８４は、映像信号受信部１８２により受信された映像信号を解析して、第１のプロジェクタＰＪ１内の処理用の信号形式に変換する変換処理を行う。このような変換処理としては、例えばインターレース形式の映像信号をプログレッシブ形式の映像信号に変換する処理がある。特性情報記憶部１９４は、第１のプロジェクタＰＪ１が有する光変調素子１３０の光変調特性（階調特性、ガンマ特性）の特性情報を記憶している。この特性情報は、例えば第１のプロジェクタＰＪ１の出荷検査時における検査結果を反映した情報として格納される。
【００３５】
出力信号変換部１８６は、特性情報記憶部１９４に記憶された特性情報に応じて、信号解析部１８４からの映像信号をガンマ変換し、ガンマ変換後の映像信号を出力するようになっている。出力信号処理部１８８は、出力信号変換部１８６により行われたガンマ変換後の映像信号をラスタ変換する。光変調素子駆動部１９０は、出力信号処理部１８８の処理結果の映像信号に対応した光変調素子制御信号を生成し、該光変調素子制御信号を光変調素子１３０に出力する。光源駆動部１９６は、制御部１９２からの指示に基づいて、光源１１０を制御するための光源制御信号を生成し、該光源制御信号を光源１１０に対して出力する。更に、特性情報送信部１９８は、特性情報記憶部１９４に記憶された特性情報を、信号変換装置５０に対して送信するためのインタフェース処理を行う。制御部１９２は、上記の構成を有する制御ブロック１８０内の各部の制御を司る。
【００３６】
図３に、図２の光学系ブロック１００の構成例を示す。図３では、図２の光学系ブロック１００が、いわゆる３板式の構成例を示しているが、本発明に係る映像投影装置としてのプロジェクタが、いわゆる３板式のものに限定されるものではない。
【００３７】
光学系ブロック１００は、光源１１０及び光変調素子１３０の他に、インテグレータレンズ１１２、１１４、偏光変換素子１１６、重畳レンズ１１８、Ｒ用ダイクロイックミラー１２０Ｒ、Ｇ用ダイクロイックミラー１２０Ｇ、反射ミラー１２２、Ｒ用フィールドレンズ１２４Ｒ、Ｇ用フィールドレンズ１２４Ｇ、リレー光学系１４０、クロスダイクロイックプリズム１６０、投射レンズ１７０（広義には投射部）を含む。図３では、３板式であるため、光変調素子１３０として、Ｒ用液晶パネル１３０Ｒ（第１の光変調部）、Ｇ用液晶パネル１３０Ｇ（第２の光変調部）、Ｂ用液晶パネル１３０Ｂ（第３の光変調部）が採用される。Ｒ用液晶パネル１３０Ｒ、Ｇ用液晶パネル１３０Ｇ及びＢ用液晶パネル１３０Ｂとして用いられる液晶パネルは、透過型の液晶表示装置である。リレー光学系１４０は、リレーレンズ１４２、１４４、１４６、反射ミラー１４８、１５０を含む。
【００３８】
光源１１０は、例えば超高圧水銀ランプにより構成され、少なくともＲ成分の光、Ｇ成分の光、Ｂ成分の光を含む光を射出する。光源１１０は、図２の光源駆動部１９６から光源制御信号により駆動制御される。インテグレータレンズ１１２は、光源１１０からの光を複数の部分光に分割するための複数の小レンズを有する。インテグレータレンズ１１４は、インテグレータレンズ１１２の複数の小レンズに対応する複数の小レンズを有する。重畳レンズ１１８は、インテグレータレンズ１１２の複数の小レンズから射出される部分光を重畳する。
【００３９】
また偏光変換素子１１６は、偏光分離膜とλ／２板とを有し、ｐ偏光を透過させると共にｓ偏光を反射させ、ｐ偏光をｓ偏光に変換する。この偏光変換素子１１６からのｓ偏光が、重畳レンズ１１８に照射される。
【００４０】
重畳レンズ１１８によって重畳された光は、Ｒ用ダイクロイックミラー１２０Ｒに入射される。Ｒ用ダイクロイックミラー１２０Ｒは、Ｒ成分の光を反射して、Ｇ成分及びＢ成分の光を透過させる機能を有する。Ｒ用ダイクロイックミラー１２０Ｒを透過した光は、Ｇ用ダイクロイックミラー１２０Ｇに照射され、Ｒ用ダイクロイックミラー１２０Ｒにより反射した光は反射ミラー１２２により反射されてＲ用フィールドレンズ１２４Ｒに導かれる。
【００４１】
Ｇ用ダイクロイックミラー１２０Ｇは、Ｇ成分の光を反射して、Ｂ成分の光を透過させる機能を有する。Ｇ用ダイクロイックミラー１２０Ｇを透過した光は、リレー光学系１４０に入射され、Ｇ用ダイクロイックミラー１２０Ｇにより反射した光はＧ用フィールドレンズ１２４Ｇに導かれる。
【００４２】
リレー光学系１４０では、Ｇ用ダイクロイックミラー１２０Ｇを透過したＢ成分の光の光路長と他のＲ成分及びＧ成分の光の光路長との違いをできるだけ小さくするために、リレーレンズ１４２、１４４、１４６を用いて光路長の違いを補正する。リレーレンズ１４２を透過した光は、反射ミラー１４８によりリレーレンズ１４４に導かれる。リレーレンズ１４４を透過した光は、反射ミラー１５０によりリレーレンズ１４６に導かれる。リレーレンズ１４６を透過した光は、Ｂ用液晶パネル１３０Ｂに照射される。
【００４３】
Ｒ用フィールドレンズ１２４Ｒに照射された光は、平行光に変換されてＲ用液晶パネル１３０Ｒに入射される。Ｒ用液晶パネル１３０Ｒは、光変調素子（光変調部）として機能し、Ｒ用映像信号に基づいて透過率（通過率、変調率）が変化するようになっている。従って、Ｒ用液晶パネル１３０Ｒに入射された光（第１の色成分の光）は、Ｒ用映像信号に基づいて変調され、変調後の光がクロスダイクロイックプリズム１６０に入射される。
【００４４】
Ｇ用フィールドレンズ１２４Ｇに照射された光は、平行光に変換されてＧ用液晶パネル１３０Ｇに入射される。Ｇ用液晶パネル１３０Ｇは、光変調素子（光変調部）として機能し、Ｇ用映像信号に基づいて透過率（通過率、変調率）が変化するようになっている。従って、Ｇ用液晶パネル１３０Ｇに入射された光（第２の色成分の光）は、Ｇ用映像信号に基づいて変調され、変調後の光がクロスダイクロイックプリズム１６０に入射される。
【００４５】
リレーレンズ１４２、１４４、１４６で平行光に変換された光が照射されるＢ用液晶パネル１３０Ｂは、光変調素子（光変調部）として機能し、Ｂ用映像信号に基づいて透過率（通過率、変調率）が変化するようになっている。従って、Ｂ用液晶パネル１３０Ｂに入射された光（第３の色成分の光）は、Ｂ用映像信号に基づいて変調され、変調後の光がクロスダイクロイックプリズム１６０に入射される。
【００４６】
Ｒ用液晶パネル１３０Ｒ、Ｇ用液晶パネル１３０Ｇ及びＢ用液晶パネル１３０Ｂは、図２の光変調素子駆動部１９０からの光変調素子制御信号により、色成分毎に独立して変調率が制御される。
【００４７】
クロスダイクロイックプリズム１６０は、Ｒ用液晶パネル１３０Ｒ、Ｇ用液晶パネル１３０Ｇ及びＢ用液晶パネル１３０Ｂからの入射光を合成した合成光を出射光として出力する機能を有する。投射レンズ１７０は、出力画像をスクリーンＳＣＲ上に拡大して結像させるレンズである。
【００４８】
以上のように、光学系ブロック１００において、Ｒ用液晶パネル１３０Ｒ、Ｇ用液晶パネル１３０Ｇ及びＢ用液晶パネル１３０Ｂを第１〜第３の光変調部とすると、第１の光変調部は、第１の色成分の映像信号に基づいて第１の色成分の光を変調し、第２の光変調部は、第２の色成分の映像信号に基づいて第２の色成分の光を変調し、第３の光変調部は、第３の色成分の映像信号に基づいて第３の色成分の光を変調する。
【００４９】
第１〜第３の光変調部としてのＲ用液晶パネル１３０Ｒ、Ｇ用液晶パネル１３０Ｇ及びＢ用液晶パネル１３０Ｂは、それぞれ光変調特性（階調特性、ガンマ特性）を有する。この光変調特性は、映像信号により特定される入力信号値に対する透過率（輝度）（広義には変調率）の変化を示す特性である。実施形態１では、所望の出力目標輝度が得られるように、各プロジェクタが有する光変調素子としての各液晶パネルの光変調特性に応じた映像信号を各プロジェクタに振り分ける。そのため、実施形態１における信号変換装置５０は、映像投影システム１０を構成するプロジェクタの光変調特性を規定する特性情報を取得し、取得した特性情報に基づいて入力映像信号を各プロジェクタ向けに変換し、変換後の映像信号を各プロジェクタに供給するようになっている。
【００５０】
図４に、実施形態１における信号変換装置５０の構成例のブロック図を示す。図４において、図１と同一部分には同一符号を付し、適宜説明を省略する。
【００５１】
信号変換装置５０は、特性情報取得部５２と、信号変換処理部５４とを含む。特性情報取得部５２は、映像投影システム１０を構成する第１及び第２のプロジェクタＰＪ１、ＰＪ２のうち少なくとも１つのプロジェクタの光変調素子の特性情報を取得する。信号変換処理部５４は、特性情報取得部５２によって取得された特性情報に基づいて、映像投影システム１０を構成する第１及び第２のプロジェクタＰＪ１、ＰＪ２の各プロジェクタに対応した信号変換処理を入力映像信号に対して行い、該信号変換処理後の映像信号を各プロジェクタに供給する。
【００５２】
特性情報取得部５２は、例えば各プロジェクタの電源投入直後に起動される起動シーケンスにおいて送信される特性情報を取得できるものであってもよいし、該起動シーケンスで各プロジェクタに対して特性情報の送信要求を行った後に各プロジェクタから送信される特性情報を受信するものであってもよい。特性情報取得部５２が第１及び第２のプロジェクタＰＪ１、ＰＪ２の一方の特性情報を保持しているときは、特性情報取得部５２は他方のプロジェクタの特性情報のみを取得する。
【００５３】
信号変換装置５０は、更に、映像信号受信部５６、信号解析部５８、特性情報記憶部６０、映像信号出力部６２を含んでもよい。映像信号受信部５６は、映像信号生成装置８０からの入力映像信号の受信インタフェース処理を行う。信号解析部５８は、映像信号受信部５６により受信された映像信号を解析して、信号変換装置５０内の処理用の信号形式に変換する変換処理を行う。このような変換処理としては、例えばインターレース形式の映像信号をプログレッシブ形式の映像信号に変換する処理がある。
【００５４】
特性情報記憶部６０は、特性情報取得部５２によって取得された特性情報を記憶する。即ち、特性情報記憶部６０は、映像投影システム１０を構成する第１及び第２のプロジェクタＰＪ１、ＰＪ２の各プロジェクタが有する光変調素子の光変調特性（階調特性、ガンマ特性）の特性情報を、各プロジェクタに関連づけて記憶している。従って、信号変換処理部５４は、特性情報記憶部６０に記憶された各プロジェクタの特性情報に基づいて、信号変換処理を行うことができる。
【００５５】
映像信号出力部６２は、信号変換処理部５４により行われた信号変換処理後の映像信号を所与の出力形式に変換する処理を行う。映像信号出力部６２の出力信号が、映像投影システム１０を構成する第１及び第２のプロジェクタＰＪ１、ＰＪ２に対して供給される。
【００５６】
図５（Ａ）、図５（Ｂ）に、実施形態１における特性情報の説明図を示す。
【００５７】
図５（Ａ）に示すように、例えば、各プロジェクタが有する光変調素子の光変調特性は、映像信号により規定される入力信号値に対応して光変調素子の透過率（変調率）が変化する様子を示す特性である。図５（Ａ）では、横軸に入力信号値、縦軸に透過率を表している。縦軸の透過率は、当該光変調素子を有するプロジェクタによる投影画像の輝度と等価なパラメータである。
【００５８】
実施形態１における特性情報は、図５（Ａ）に示す光変調特性を規定する情報群である。当該光変調素子を制御する光変調素子制御信号の信号値の範囲（動作電圧範囲）が決まるため、図５（Ｂ）に示すように、上記の信号値の範囲内をＮ（Ｎは２以上の自然数）等分し、（Ｎ＋１）個の各信号値における透過率の並びを、図５（Ａ）に示す光変調特性を規定する特性情報を表す情報群とすることができる。
【００５９】
図４の特性情報取得部５２は、例えば図５（Ｂ）に示す特性情報を、各プロジェクタから取得する。より具体的には、特性情報取得部５２は、投影画像の画素毎に、図５（Ｂ）に示す特性情報を取得する。更に具体的には、特性情報取得部５２は、投影画像の画素を構成するＲ成分のサブ画素、Ｇ成分のサブ画素及びＢ成分のサブ画素の色成分毎に設けられた図５（Ｂ）に示す特性情報を取得する。なお、投影画像内に予めサンプリング画素を定めておき、特性情報取得部５２は、このサンプリング画素の特性情報のみを取得し、取得後のサンプリング画素の特性情報を公知の補間処理方法により補間して画像内の各画素の特性情報を算出するようにしてもよい。
【００６０】
図６に、図４の信号変換処理部５４の構成例のブロック図を示す。図６において、図４と同一部分には同一符号を付し、適宜説明を省略する。
【００６１】
実施形態１における信号変換処理部５４は、映像投影システム１０を構成する複数のプロジェクタのそれぞれに対応する信号変換処理を行い、信号変換処理後の映像信号を各プロジェクタに供給する。そのため、信号変換処理部５４は、例えば変換テーブル記憶部を備え、該変換テーブル記憶部の記憶情報に基づいて、入力映像信号を各プロジェクタに対応した映像信号に変換することができる。
【００６２】
即ち、信号変換処理部５４は、変換テーブル記憶部７０、テーブル検索部７２を含むことができる。変換テーブル記憶部７０には、入力映像信号に対応して予め複数のプロジェクタを構成する各プロジェクタに供給する映像信号が登録されている。テーブル検索部７２は、変換テーブル記憶部７０を検索することで、信号解析部５８からの入力映像信号に対応した各プロジェクタに対応する映像信号を取得し、取得した映像信号を映像信号出力部６２に出力する。
【００６３】
図７に、図６の変換テーブル記憶部７０の説明図を示す。
【００６４】
変換テーブル記憶部７０には、入力映像信号により規定される入力信号値に対して、第１のプロジェクタＰＪ１に出力すべき出力信号値、第２のプロジェクタＰＪ２に出力すべき出力信号値が登録された記憶情報が記憶されている。入力映像信号が与えられると、当該入力映像信号に対応して記憶されている第１及び第２のプロジェクタＰＪ１、ＰＪ２用の出力信号値が取り出される。そして、各プロジェクタ用の出力信号値に対応した映像信号が、後段の映像信号出力部６２に出力される。
【００６５】
なお、図７では、入力信号値が１２ビット、第１及び第２のプロジェクタＰＪ１、ＰＪ２への出力信号値が８ビットとなっている。即ち、入力映像信号で表現可能な階調数が、各プロジェクタに供給される映像信号で表現可能な階調数よりも多い。こうすることで、入力コンテンツの階調数が多い場合であっても、階調数が少ない安価なプロジェクタを用いることができ、低コストで多階調な映像を高精度に制御できるようになる。
【００６６】
次に、実施形態１における映像投影システム１０の効果について説明する。
【００６７】
図８（Ａ）、図８（Ｂ）に、実施形態１における映像投影システム１０の効果の説明図を示す。図８（Ａ）、図８（Ｂ）は、第１及び第２のプロジェクタＰＪ１、ＰＪ２が同じ光変調特性を有する場合の効果の一例を表している。
【００６８】
図９に、実施形態１における映像投影システム１０の効果の他の説明図を示す。図９は、第１及び第２のプロジェクタＰＪ１、ＰＪ２が異なる光変調特性を有する場合の効果の一例を表している。
【００６９】
なお、図８（Ａ）、図８（Ｂ）では、高い透過率ほど入力信号値の変化量が小さい特性（即ち、低い透過率ほど入力信号値の変化量が大きい特性）であるものとして示しているが、低い透過率ほど入力信号値の変化量が小さい特性（即ち、高い透過率ほど入力信号値の変化量が大きい特性）であってもよい。
【００７０】
ここで、階調を０．０〜１．０（０．０は最低輝度、１．０は最高輝度）の範囲で正規化された数値で表し、図８（Ａ）に示すように、低輝度側（図８（Ａ）では階調差が大きい領域）において、第１及び第２のプロジェクタＰＪ１、ＰＪ２がそれぞれ表現可能な階調が例えば０、０．１５、０．２５、０．３０、０．３３、・・・であるものとする。このとき、実施形態１における映像投影システム１０により表現可能な階調は、両方のプロジェクタの合成によって表現可能な階調となる。第１及び第２のプロジェクタＰＪ１、ＰＪ２の合成によって表現可能な階調は、一方のプロジェクタで表現可能な階調と両方のプロジェクタで表現可能な階調であるため、例えば０、０．１５、０．２５、０．３０、０．３３、０．４０、０．４５、・・・となり、一方のプロジェクタで表現可能な階調より表現可能な階調が多くなる。
【００７１】
一方、図８（Ｂ）に示すように、高輝度側（図８（Ｂ）では階調差が小さい領域）において、第１及び第２のプロジェクタＰＪ１、ＰＪ２がそれぞれ表現可能な階調が例えば０．８０、０．８１、０．８２、０．８３、０．８４、・・・であるものとする。このとき、第１及び第２のプロジェクタＰＪ１、ＰＪ２の合成によって表現可能な階調は、例えば０、８０、０．８１、・・・、１．６０、１．６１、１．６２、・・・となる。従って、両方のプロジェクタの階調差が小さい領域では、合成によって表現可能な階調差を両方のプロジェクタの階調差が大きい領域より一層小さくでき、階調表現を細かく制御することができるようになる。
【００７２】
以上のように、第１及び第２のプロジェクタＰＪ１、ＰＪ２の光変調特性がたとえ同じであったとしても、実施形態１のように両者を重ね合わせて表示することで階調数を増加させることができる。そのため、階調表現を細かく制御することができるようになる。
【００７３】
これに対して、図９に示すように、第１のプロジェクタＰＪ１が表現可能な階調が例えば０、０．１５、０．２５、０．３０、・・・、０．８０、０．８１、０．８２、０．８３、０．８４、・・・であり、第２のプロジェクタＰＪ２が表現可能な階調が例えば０、０．０１、０．０２、０．０３、・・・、０．６２、０．６５、０．７０、０．８０、０．９５、・・・であり、両者のプロジェクタの光変調特性が異なるものとする。このとき、実施形態１における映像投影システム１０により表現可能な階調は、両方のプロジェクタの合成によって表現可能な階調となる。第１及び第２のプロジェクタＰＪ１、ＰＪ２の合成によって表現可能な階調は、一方のプロジェクタで表現可能な階調と両方のプロジェクタで表現可能な階調であるため、例えば０．０、０．０１、０．０２、０．０３、・・・、０．８０、０．８１、・・・、１．６０、１．６１、１．６２、・・・となる。従って、両方のプロジェクタの階調差の大小にかかわらず全領域にわたって、合成後の階調差を小さくでき、階調表現を細かく制御することができるようになる。
【００７４】
以上のように、第１及び第２のプロジェクタＰＪ１、ＰＪ２の光変調特性が異なる場合には、実施形態１のように両者を重ね合わせて表示することで階調数を確実に増加させることができ、階調表現を細かく制御することができるようになる。
【００７５】
なお、実施形態１では、映像投影システム１０が２つの映像投影装置としてのプロジェクタを含むが、３以上の複数の映像投影装置を含んでもよい。この場合、信号変換装置は、各映像投影装置による投影画像を重ねて表示する複数の映像投影装置に映像信号を供給するものであって、複数の映像投影装置のうち少なくとも１つの映像投影装置の光変調素子の特性情報を取得する特性情報取得部と、特性情報取得部により取得された特性情報に基づいて、各映像投影装置に対応した信号変換処理を入力映像信号に対して行い、該信号変換処理後の映像信号を各映像投影装置に供給する信号変換処理部とを含むことができる。
【００７６】
〔実施形態２〕
実施形態１では、すべての入力信号値に対応して第１及び第２のプロジェクタ用の出力信号値を変換テーブル記憶部に記憶させておくものとして説明したが、本発明はこれに限定されるものではない。本発明に係る実施形態２では、変換テーブル記憶部の記憶情報を削減して、より一層の低コスト化を実現しつつ、多階調な映像を高精度に制御できるようにする。
【００７７】
このような実施形態２における映像投影システム、映像投影装置としてのプロジェクタの構成は実施形態１と同様であるため、説明を省略する。実施形態２における信号変換装置の信号変換処理部の構成が、実施形態１における信号変換装置の信号処理部の構成と異なる。
【００７８】
図１０に、本発明に係る実施形態２における信号処理部の構成例のブロック図を示す。
【００７９】
実施形態２における信号変換処理部２００は、信号変換処理部５４に代えて図４の信号変換装置５０に適用できる。信号変換処理部２００は、変換テーブル記憶部２０２、テーブル検索部２０４、信号補間部２０６を含む。
【００８０】
変換テーブル記憶部２０２には、入力映像信号に対応して予め複数のプロジェクタを構成する各プロジェクタに供給する映像信号が登録されており、テーブル検索部２０４が信号解析部５８からの入力映像信号に対応した各プロジェクタに対応する映像信号を、変換テーブル記憶部２０２を検索することで取得する。そして、信号補間部２０６が、テーブル検索部２０４で取得された映像信号を補間し、補間処理後の映像信号を映像信号出力部６２に出力する。
【００８１】
図１１に、図１０の変換テーブル記憶部２０２の説明図を示す。
【００８２】
変換テーブル記憶部２０２には、入力映像信号により規定される入力信号値に対して、第１のプロジェクタＰＪ１に出力すべき出力信号値、第２のプロジェクタＰＪ２に出力すべき出力信号値が登録された記憶情報が記憶されている。このとき、入力信号値は、取り得る値の全部ではなく、離散的な値である。その一方、変換テーブル記憶部２０２には、入力信号値に対応してフラグが記憶されており、そのフラグ情報に応じて、どちらの出力信号値で補間すべきかが指定される。
【００８３】
例えば、入力信号値０ｘ０１０に対応して記憶されるフラグが０のとき、信号補間部２０６は、入力信号値０ｘ０１０〜０ｘ０１８の間の入力信号値に対して、第１のプロジェクタＰＪ１の出力信号値である０ｘ０１（入力信号値が０ｘ０１０に対応する出力信号値）、０ｘ０３（入力信号値が０ｘ０１８に対応する出力信号値）を用いて、公知の補間処理（例えばニアレストネーバー法、バイリニア法等）で補間する一方、第２のプロジェクタＰＪ２の出力信号値として０ｘ００（入力信号値０ｘ０１０に対応）を出力する。
【００８４】
また、例えば、入力信号値０ｘ０２０に対応して記憶されるフラグが１のとき、信号補間部２０６は、入力信号値０ｘ０２０〜０ｘ０２８の間の入力信号値に対して、第２のプロジェクタＰＪ２の出力信号値である０ｘ０１（入力信号値が０ｘ０２０に対応する出力信号値）、０ｘ０５（入力信号値が０ｘ０２８に対応する出力信号値）を用いて、公知の補間処理（例えばニアレストネーバー法、バイリニア法等）で補間する一方、第１のプロジェクタＰＪ１の出力信号値として０ｘ０４（入力信号値０ｘ０２０に対応）を出力する。
【００８５】
以上のように、入力映像信号が与えられると、当該入力映像信号に対応して記憶されている第１及び第２のプロジェクタＰＪ１、ＰＪ２用の出力信号値が取り出される。この際、必要に応じてフラグを参照し、いずれか一方をそのまま出力すると共に、他方を、補間処理により得られた出力信号値を出力する。そして、各プロジェクタ用の出力信号値に対応した映像信号が、後段の映像信号出力部６２に出力される。
【００８６】
以上説明したように、実施形態２によれば、信号補間部２０６により補間するようにしたので変換テーブル記憶部２０２が記憶すべき記憶情報の容量を削減できるようになる。
【００８７】
〔実施形態３〕
実施形態１又は実施形態２における信号変換装置では、変換テーブルを用いて入力映像信号に対して信号変換処理を行うものとして説明したが、本発明はこれに限定されるものではない。
【００８８】
実施形態３における映像投影システム、映像投影装置としてのプロジェクタの構成は実施形態１と同様であるため、説明を省略する。実施形態３における信号変換装置の処理が、実施形態１における信号変換装置の処理と異なる。
【００８９】
即ち、実施形態３における信号変換装置では、第１及び第２のプロジェクタＰＪ１、ＰＪ２のうちの一方のプロジェクタ（例えば第１のプロジェクタＰＪ１）に対し、入力映像信号から変換して得られる、出力目標輝度以下で最大輝度となる第１の映像信号を供給する。そして、第１及び第２のプロジェクタＰＪ１、ＰＪ２のうちの他方のプロジェクタ（例えば第２のプロジェクタＰＪ２）に対し、第２のプロジェクタＰＪ２により出力目標輝度と上記最大輝度との差分の輝度を有する画像を表示するように映像信号を入力映像信号から変換して求め、この変換して求めた映像信号を供給する。
【００９０】
このため、実施形態３における信号変換装置の信号変換処理部は、例えば中央演算処理装置（Central Processing Unit：ＣＰＵ）及びメモリを有し、該メモリに記憶されたプログラムを読み込んだＣＰＵが、以下のような処理を実行できるようになっている。
【００９１】
図１２に、実施形態３における信号変換装置の信号変換処理部の処理例のフロー図を示す。即ち、実施形態３における信号変換装置の信号変換処理部が有するメモリには、図１２に示す処理を実現するプログラムが記憶される。
図１３に、実施形態３における信号変換装置の信号変換処理部の動作説明図を示す。図１３は、実施形態３における映像投影システムとしての光変調特性の一例を表している。
【００９２】
まず、信号変換処理部は、信号解析部５８からの入力映像信号を待つ（ステップＳ１０：Ｎ）。そして、信号解析部５８から入力映像信号が入力されたとき（ステップＳ１０：Ｙ）、信号変換処理部は、実施形態３における映像投影システムとしての光変調特性により定まる出力目標輝度（図１３のＴＬ）を算出する（ステップＳ１２）。
【００９３】
続いて、信号変換処理部は、高輝度側の階調差が小さいプロジェクタに対して、当該プロジェクタの光変調素子の光変調特性に基づいて入力信号値に対応する出力信号値を割り当てる（ステップＳ１４）。このとき、信号変換処理部は、出力目標輝度以下で最大輝度（図１３のＭＬ）となる出力信号値を割り当て、該出力信号値に対応する映像信号を当該プロジェクタに対して出力するようにする。
【００９４】
次に、信号変換処理部は、出力目標輝度（図１３のＴＬ）と上記最大輝度（図１３のＭＬ）との差分の輝度（図１３のＤＬ）を求める（ステップＳ１６）。そして、ステップＳ１４で割り当てたプロジェクタとは別のプロジェクタに対して、当該プロジェクタの光変調素子の光変調特性に基づいて、輝度ＤＬが得られる出力信号値を割り当てる（ステップＳ１８）。
【００９５】
こうして、信号変換処理部は、ステップＳ１４、ステップＳ１８で求めた出力信号値に対応する映像信号を、それぞれのプロジェクタに対して出力するように処理し（ステップＳ２０）、ステップＳ１０に戻る（リターン）。
【００９６】
以上のような実施形態３によれば、実施形態１又は実施形態２のように変換テーブルを用意する必要がなくなる。また、実施形態３によれば、映像投影システムを構成するプロジェクタの数が増加すればするほど複雑化する変換テーブルに対する検索処理が不要となるので、各プロジェクタへの信号の割り当てを簡素化して、多階調な映像を高精度に制御できるようになる。
【００９７】
なお、実施形態３では、映像投影システムが第１及び第２のプロジェクタにより構成されている例を説明したが、３以上のプロジェクタで構成される場合も同様である。即ち、複数の映像投影装置により入力映像信号に対応する出力目標輝度を有する画像を表示する場合に、信号変換処理部は、複数の映像投影装置のいずれか１つの第１の映像投影装置に対し、出力目標輝度以下で最大輝度となる第１の映像信号を供給すると共に、複数の映像投影装置のうち第１の映像投影装置を除く残りの各映像投影装置に対し、残りの各映像投影装置により出力目標輝度と最大輝度との差分の輝度を有する画像を表示するように映像信号を供給する。
【００９８】
ここで、信号変換処理部は、第１の映像投影装置の光変調素子の特性に基づいて、入力映像信号を第１の映像信号に変換し、残りの各映像投影装置の光変調素子の特性に基づいて、入力映像信号を残りの各映像投影装置に対応した映像信号に変換する。
【００９９】
〔実施形態４〕
実施形態１、実施形態２及び実施形態３では、プロジェクタと信号変換装置が個別に設けられていたが、本発明はこれに限定されるものではない。本発明に係る実施形態４では、映像投影システムを構成する複数のプロジェクタのいずれか１つに実施形態１、実施形態２又は実施形態３における信号変換装置が搭載される。以下では、第１及び第２のプロジェクタＰＪ１、ＰＪ２を含む映像投影システムにおいて、第１のプロジェクタＰＪ１に、上記の各実施形態のいずれかの信号変換装置が搭載されているものとする。
【０１００】
図１４に、実施形態４における第１のプロジェクタＰＪ１の構成例のブロック図を示す。図１４において、図２と同一部分には同一符号を付し、適宜説明を省略する。
【０１０１】
図１４に示すように、実施形態４における第１のプロジェクタＰＪ１は、図２の構成に加えて、信号変換部（信号変換装置）３００を含む。信号変換部３００は、実施形態１、実施形態２又は実施形態３における信号変換装置と同様の機能を有する。従って、映像信号受信部１８２は、信号変換部３００からの映像信号を受信し、特性情報送信部１９８は、信号変換部３００に対して特性情報を送信する。また、信号変換部３００は、映像投影システムを構成する複数のプロジェクタのうち、第１のプロジェクタＰＪ１を除く残りのプロジェクタに対して、残りの各プロジェクタに対応する映像信号を出力する。
【０１０２】
図１５に、実施形態４における映像投影システム３２０の構成例を示す。図１５において、図１と同様部分には同一符号を付し、適宜説明を省略する。
【０１０３】
図１５において、第１のプロジェクタＰＪ１は図１４に示すプロジェクタであり、上記のいずれかの実施形態における信号変換装置を含む。実施形態４における映像投影システム３２０は、更に、通信手段３１０を有し、第２のプロジェクタＰＪ２の特性情報を第１のプロジェクタＰＪ１に送信させることができる。
【０１０４】
このような映像投影システム３２０では、映像信号生成装置８０からの入力映像信号が、そのまま第１のプロジェクタＰＪ１の信号変換部３００に入力される。また、信号変換部３００には、通信手段３１０により、第２のプロジェクタＰＪ２の特性情報もまた入力される。そして、第１のプロジェクタＰＪ１の信号変換部３００が、上記の信号変換処理を行い、第１のプロジェクタＰＪ１用の信号変換処理後の映像信号でスクリーンＳＣＲに投影すると共に、第２のプロジェクタＰＪ１用の信号変換処理後の映像信号を第２のプロジェクタＰＪ２に出力し、第２のプロジェクタＰＪ２により該映像信号でスクリーンＳＣＲに投影させる。
【０１０５】
〔実施形態５〕
上記の実施形態では、映像投影システムを構成するすべてのプロジェクタが特性情報を送信する機能をするものとして説明したが、本発明はこれに限定されるものではない。
【０１０６】
図１６に、本発明に係る実施形態５における映像投影システムの構成例を示す。図１６において、図１と同様の部分には同一符号を付し、適宜説明を省略する。
【０１０７】
図１６において、第１のプロジェクタＰＪ１は図１４に示すプロジェクタであり、上記のいずれかの実施形態における信号変換装置を含む。実施形態５における映像投影システム４００は、更に、第１のプロジェクタＰＪ１に輝度検出部としてのカメラ４１０を含み、映像投影システム４００を構成する複数のプロジェクタのうち第１のプロジェクタＰＪ１を除く他のプロジェクタの投影画像の輝度を検出することができる。
【０１０８】
即ち、第２のプロジェクタＰＪ２に、所与の映像パターンをスクリーンＳＣＲに投影させる。そして、第１のプロジェクタＰＪ１のカメラ４１０により、スクリーンＳＣＲに投影された第２のプロジェクタＰＪ２の映像の輝度を検出し、第２のプロジェクタＰＪ２の光変調特性を規定する特性情報を収集する。そして、第１のプロジェクタＰＪ１が内蔵する信号変換装置が、収集した特性情報に基づいて入力映像信号を変換した映像信号を第２のプロジェクタＰＪ２に供給する。
【０１０９】
このように、スクリーンに投影された他の映像投影装置の投影画像の輝度を検出する輝度検出部を含み、輝度検出部により検出された輝度に基づいて入力映像信号を変換した映像信号を他の映像投影装置に供給するようにすることで、当該他の映像投影装置が、その特性情報を送信する機能を持たない場合であっても、複数の映像投影装置の特性に応じて、多階調化を実現する映像投影システムを提供できるようになる。
【０１１０】
なお、実施形態５では、信号変換装置が第１のプロジェクタＰＪ１に内蔵されているものとして説明したが、図１に示すように信号変換装置が第１のプロジェクタＰＪ１の外部に設けられ、図１の第１のプロジェクタＰＪ１が実施形態５におけるカメラ４１０を内蔵してもよい。
【０１１１】
以上、本発明に係る信号変換装置、映像投影装置及び映像投影システムを上記の各実施形態に基づいて説明したが、本発明は上記の各実施形態に限定されるものではなく、その要旨を逸脱しない範囲において種々の態様において実施することが可能であり、例えば次のような変形も可能である。
【０１１２】
（１）上記の各実施形態では、映像投影システムは２つのプロジェクタで投影画像を重ね合わせて表示させていたが、本発明はこれに限定されるものではない。３つ以上のプロジェクタで投影画像を重ね合わせて表示させても、上記実施形態と同様、又はそれ以上の効果を得ることができる。
【０１１３】
（２）上記の各実施形態では、光変調部としてライトバルブを用いるものとして説明したが、本発明はこれに限定されるものではない。光変調部として、例えばＤＬＰ（Digital Light Processing)（登録商標）、ＬＣＯＳ（Liquid Cristal On Silicon)等を採用してもよい。
【０１１４】
（３）上記の各実施形態では、光変調部として、いわゆる３板式の透過型の液晶パネルを用いたライトバルブを例に説明したが、４板式以上の透過型の液晶パネルを用いたライトバルブを採用してもよい。
【０１１５】
（４）上記の各実施形態では、各プロジェクタが投射部と光変調素子とを有する複数のプロジェクタにより構成される投影映像システムを例に説明したが、本発明はこれに限定されるものではない。本発明に係る投影映像システムは、１つの投射部と、上記の各実施形態における複数のプロジェクタ分の複数の光変調素子とを備えたプロジェクタを少なくとも１つ含んでもよい。
【０１１６】
（５）上記の各実施形態において、本発明を、信号変換装置、映像投影装置及び映像投影システムとして説明したが、本発明はこれに限定されるものではない。例えば、本発明を実現するための信号変換装置、映像投影装置又は映像投影システムの処理手順が記述されたプログラムや、該プログラムが記録された記録媒体であってもよい。
【図面の簡単な説明】
【０１１７】
【図１】本発明に係る実施形態１における映像投影システムの構成例のブロック図。
【図２】図１の第１のプロジェクタの構成例のブロック図。
【図３】図２の光学系ブロックの構成例の構成図。
【図４】実施形態１における信号変換装置の構成例のブロック図。
【図５】図５（Ａ）、図５（Ｂ）は実施形態１における特性情報の説明図。
【図６】図４の信号変換処理部の構成例のブロック図。
【図７】図６の変換テーブル記憶部の説明図。
【図８】図８（Ａ）、図８（Ｂ）は実施形態１における映像投影システムの効果の説明図。
【図９】実施形態１における映像投影システムの効果の他の説明図。
【図１０】本発明に係る実施形態２における信号処理部の構成例のブロック図。
【図１１】図１０の変換テーブル記憶部の説明図。
【図１２】実施形態３における信号変換装置の信号変換処理部の処理例のフロー図。
【図１３】実施形態３における信号変換装置の信号変換処理部の動作説明図。
【図１４】実施形態４における第１のプロジェクタの構成例のブロック図。
【図１５】本発明に係る実施形態４における映像投影システムの構成例のブロック図。
【図１６】本発明に係る実施形態５における映像投影システムの構成例のブロック図。
【符号の説明】
【０１１８】
１０，３２０，４００…映像投影システム、  ５０…信号変換装置、
５２…特性情報取得部、  ５４…信号変換処理部、  ５６，１８２…映像信号受信部、
５８，１８４…信号解析部、  ６０，１９４…特性情報記憶部、
６２…映像信号出力部、  ７０，２０２…変換テーブル記憶部、
７２，２０４…テーブル検索部、  ８０…映像信号生成装置、
１００…光学系ブロック、  １１０…光源、  １３０…光変調素子、
１８０…制御ブロック、  １８６…出力信号変換部、  １８８…出力信号処理部、
１９０…光変調素子駆動部、  １９２…制御部、  １９６…光源駆動部、
２０６…信号補間部、  ３００…信号変換部、  ３１０…通信手段、  ４１０…カメラ、
ＰＪ１…第１のプロジェクタ、  ＰＪ２…第２のプロジェクタ、  ＳＣＲ…スクリーン
【図１】
0005433944.tif 000002
【図２】
0005433944.tif 000003
【図３】
0005433944.tif 000004
【図４】
0005433944.tif 000005
【図５】
0005433944.tif 000006
【図６】
0005433944.tif 000007
【図７】
0005433944.tif 000008
【図８】
0005433944.tif 000009
【図９】
0005433944.tif 000010
【図１０】
0005433944.tif 000011
【図１１】
0005433944.tif 000012
【図１２】
0005433944.tif 000013
【図１３】
0005433944.tif 000014
【図１４】
0005433944.tif 000015
【図１５】
0005433944.tif 000016
【図１６】
0005433944.tif 000017